(57)【特許請求の範囲】
【請求項１】
両端部で交互にＵターンさせながら所定のパイプパターンに整形した温水パイプにおける隣り合う直線部分を２本ずつ、その下面側において、クッション性の良好な緩衝材によって形成されたシート状の連結部材によって相互に連結した温水パイプユニットと、
前記温水パイプユニットの前記温水パイプを収容するためのパイプ収容溝が裏面に形成された床仕上材とを備え、
前記連結部材が床下地に接触するように、床下地の上に載置された前記温水パイプユニットにおける前記温水パイプを、前記パイプ収容溝に嵌め込むようにして床下地の上に前記床仕上材が敷設されており、
前記床仕上材の裏面には、前記床仕上材が敷設された状態で、前記温水パイプユニットの前記連結部材によって覆われる部分を除く部分の全面に、緩衝材が貼着されていることを特徴とする温水式床暖房フロア。
【発明の詳細な説明】
【０００１】
【発明の属する技術分野】
この発明は、施工性に優れた温水式床暖房フロア及び温水式床暖房フロアの施工方法に関する。
【０００２】
【従来の技術及び発明が解決しようとする課題】
床下地の上に配設された温水パイプに温水を通すことによって暖房を行う温水式の床暖房フロアとしては、図７（ａ）、（ｂ）に示すように、温水パイプ５２を予め内蔵した床仕上材５１が床下地５３の上に敷設された床仕上材一体型の床暖房フロアと、図８（ａ）、（ｂ）に示すように、温水パイプ６２が内蔵された温水マット６１を床下地６４の上に敷設した後、その上に床仕上材６３を敷設する床仕上材分離型の床暖房フロアとがある。
【０００３】
床仕上材一体型の床暖房フロアでは、上述したように、温水パイプ５２が床仕上材５１に予め内蔵されているので、床下地５３の上に床仕上材５１を敷設していけばよく、床仕上材５１を床下地５３に釘止めする場合にも、指定された位置を釘止めすれば、床仕上材５１に内蔵された温水パイプ５２が損傷を受けることがないという利点がある。
【０００４】
しかしながら、温水パイプ５２が床仕上材５１毎に分断されているので、床仕上材５１を床下地５３の上に敷設する際、隣接する床仕上材５１に内蔵された温水パイプ５２同士をコネクタ等を介して順次接続していかなければならず、床仕上材５１の敷設作業性が悪いといった問題がある。
【０００５】
一方、床仕上材分離型の床暖房フロアでは、床下地６４の上に敷設される温水マット６１を、床仕上材６３の大きさに拘わらず、ある程度の床暖房エリアをまかなうことのできる大きさ（例えば、床仕上材６３の６枚分程度の大きさ）に設定することができるので、床仕上材一体型の床暖房フロアに比べて、温水パイプ６２の接続箇所が少なくなり、温水マット６１を効率よく床下地６４の上に敷設していくことができるという利点がある。
【０００６】
しかしながら、こういった床暖房フロアでは、床仕上材一体型の床暖房フロアとは異なり、温水マット６１の敷設工程及び床仕上材６３の敷設工程の２工程が必ず必要となるので、床暖房フロア全体の施工性はよいとはいえない。
【０００７】
また、床仕上材６３を敷設する際、床下地６４の上に敷設された温水マット６１に床仕上材６３を釘止めする場合があるが、先に敷設される温水マット６１に対して、後に敷設される床仕上材６３が確実に位置決めされるわけではないので、両者の相対位置がずれると、所定の釘止め位置に釘を打っても、その釘が温水パイプ６２を貫通する等の施工ミスが発生し易いという欠点もある。
【０００８】
また、通常の床暖房フロアでは、部屋の中央部分のみを床暖房するのが一般的であり、温水マット６１を敷設する部屋の中央部分と、温水マット６１を敷設しない部屋の周辺部分とでは、段差が生じることになるので、例えば、図８（ｂ）に示すように、床暖房を行わない部屋の周辺部分は、床暖房を行う部屋の中央部分に比べて床下地６４を高くしたり、厚みの大きい床仕上材を使用したりすることによって、フロアの仕上げ高さを調整しなければならないといった問題もある。
【０００９】
また、上述した床仕上材一体型と床仕上材分離型の中間的な床暖房フロアとして、図９（ａ）に示すように、裏面に温水パイプ７４を収容するためのパイプ収容溝７２が形成された床仕上材７１を、同図（ｂ）に示すように、床下地７３の上に敷設した後、同図（ｃ）に示すように、床仕上材７１の端面側からパイプ収容溝７２に温水パイプ７４を挿入するようにしたものがある。
【００１０】
こういった床暖房フロアを採用すると、上述したような床仕上材一体型の床暖房フロアや床仕上材分離型の床暖房フロアがそれぞれ有している欠点を解消することができるが、既に敷設された床仕上材７１のパイプ収容溝７２に長尺の温水パイプ７４をＵターンさせながら通管するのは手間のかかる作業であり、やはり、効率よく床暖房フロアを施工することができない。
【００１１】
そこで、この発明の課題は、上述した従来の温水式床暖房フロアの問題点に鑑み、仕上げ高さの調整等を行うことなく、効率よく施工することのできる温水式床暖房フロア及び温水式床暖房フロアの施工方法を提供することにある。
【００１２】
【課題を解決するための手段及びその効果】
上記の課題を解決するため、この発明は、両端部で交互にＵターンさせながら所定のパイプパターンに整形した温水パイプにおける隣り合う直線部分を２本ずつ、その下面側において、クッション性の良好な緩衝材によって形成されたシート状の連結部材によって相互に連結した温水パイプユニットと、前記温水パイプユニットの前記温水パイプを収容するためのパイプ収容溝が裏面に形成された床仕上材とを備え、前記連結部材が床下地に接触するように、床下地の上に載置された前記温水パイプユニットにおける前記温水パイプを、前記パイプ収容溝に嵌め込むようにして床下地の上に前記床仕上材が敷設されており、前記床仕上材の裏面には、前記床仕上材が敷設された状態で、前記温水パイプユニットの前記連結部材によって覆われる部分を除く部分の全面に、緩衝材が貼着されていることを特徴とする温水式床暖房フロアを提供するものである。
【００１４】
以上のように、この温水式床暖房フロアでは、床下地材一体型の床暖房フロアのように、床仕上材に温水パイプが内蔵されているわけではないが、温水マット等を床下地に固定しなければならない従来の床仕上材分離型の床暖房フロアとは異なり、温水パイプユニットを床下地の上に単に載置するだけでよく、しかも、温水パイプユニット自体の大きさをある程度大きく設定することができるので、従来の床仕上材分離型の床暖房フロアと同様に、隣接する床仕上材の間で温水パイプを接続しなければならない従来の床仕上材一体型の床暖房フロアに比べて、温水パイプの接続箇所が少なくなり、効率よく床暖房フロアを施工することができる。
【００１５】
また、床下地の上に載置した温水パイプユニットの温水パイプを、パイプ収容溝に嵌め込みながら、床仕上材を床下地の上に順次敷設していけばよいので、床仕上材を床下地の上に敷設した後、パイプ収容溝に温水パイプを通管する従来の床暖房フロアのように、手間のかかる温水パイプの通管作業が不要であり、短時間で簡単に床暖房フロアを施工することができる。
【００１６】
また、この温水式床暖房フロアでは、従来の床仕上材一体型の床暖房フロアのように、温水パイプが床仕上材に内蔵されているわけではないが、床仕上材に形成されたパイプ収容溝に温水パイプユニットの温水パイプが収容されるようになっているので、温水パイプユニットを載置した部分とそれ以外の部分との間で段差が生じることがなく、従来の床仕上材一体型の床暖房フロアと同様に、フロアの仕上げ高さを調整する必要がないという効果がある。
【００１７】
また、この床暖房フロアに使用される温水パイプユニットは、隣り合う温水パイプの直線部分が、２本ずつ連結部材によって順次連結されているので、交互にＵターンさせた温水パイプが絡みにくく、所定のパイプパターンに保持されると共に、巻回した状態で保管、輸送を行うことができるので取扱性もよい。さらに、隣接する床仕上材をずらしながら敷設する際、そのずらし量を温水パイプの直線部分の間隔単位で自由に変化させることができるので、床仕上材のずらし貼り施工の適用範囲が広がるという効果がある。
【００１９】
また、連結部材がクッション性の良好な緩衝材によって形成されていると共に、床仕上材の裏面には、床仕上材が敷設された状態で、温水パイプユニットの連結部材によって覆われる部分を除く部分の全面に、緩衝材が貼着されているので、遮音性能が付与されると共に、緩衝材は通常断熱性能を兼ね備えているので、床下への熱の拡散が抑えられ、暖房効率が向上するという効果が得られる。
【００２０】
【発明の実施の形態】
以下、実施の形態について図面を参照して説明する。図１及び図２に示すように、この温水式床暖房フロア１は、捨貼合板やコンクリートスラブ等からなる床下地１０と、この床下地１０の上に載置される温水パイプユニット２０と、床下地１０の上に載置された温水パイプユニット２０を覆うように床下地１０の上に敷設される床仕上材３０とから構成されている。
【００２１】
前記温水パイプユニット２０は、図２及び図３に示すように、両端部で交互にＵターンさせながら平面略長方形状に整形した、口径が５Ａの長尺の温水パイプ２１と、この温水パイプ２１の直線部分を２本ずつ連結するシート状の連結部材２２とから構成されており、前記温水パイプ２１は架橋ポリエチレンによって形成されている。
【００２２】
前記連結部材２２は、厚さ４ｍｍ程度の不織布等のクッション性の良好な緩衝材によって形成されており、その幅方向の上面両端部に接着剤によって温水パイプ２１の下面側が固着されている。
【００２３】
前記床仕上材３０としては、温水パイプユニット２０が載置されていない部屋の周辺部分に敷設される周辺パネルと、部屋の中央部分に載置された温水パイプユニット２０における温水パイプ２１の直線部分を覆うように敷設される本体パネルと、温水パイプユニット２０における温水パイプ２１のＵターン部分を覆うように敷設されるＵターンパネルとが使用されており、前記周辺パネルは、本体パネルと同一構成のパネルを使用している。
【００２４】
前記本体パネルは、図２及び図４（ａ）、（ｂ）に示すように、５プライ合板や３プライ合板等の木質板によって形成されたパネル基材３１と、このパネル基材３１の表面に貼着された突板等の表面化粧材３２と、パネル基材３１の裏面に貼着される、連結部材２２と同一素材である緩衝材によって形成された厚さ４ｍｍ程度のシート部材３３とから構成されており、本体パネルの表面には、長手方向に伸びる３本の擬似溝３２ａが短手方向に等間隔で形成されていると共に各擬似溝３２ａ間において短手方向に伸びる複数の擬似溝３２ｂがランダムな位置に形成されている。なお、図には示していないが、パネル基材３１には、その表面側にアルミニウム箔等の熱伝導性の良好な均熱シートが練り込まれている。
【００２５】
前記パネル基材３１の裏面には、上述した温水パイプユニット２０における温水パイプ２１の直線部分を収容するための複数のパイプ収容溝３１ａが一定間隔で形成されており、図１、図２及び図４（ｂ）に示すように、温水パイプユニット２０における温水パイプ２１の直線部分を覆うように本体パネルを敷設したときに、温水パイプユニット２０の連結部材２２によって覆われない部分に、上述したシート部材３３が貼着されている。
【００２６】
前記Ｕターンパネルも、基本的には、前記本体パネルと同一構成を有しているが、図４（ｃ）に示すように、温水パイプ２１の直線部分が収容される直線状のパイプ収容溝３１ａ間に、温水パイプ２１のＵターン部分を収容するための円弧状のパイプ収容溝３１ｂが形成されており、本体パネルと同様に、温水パイプユニット２０における温水パイプ２１のＵターン部分を覆うようにＵターンパネルを敷設したときに、温水パイプユニット２０の連結部材２２によって覆われない部分に、上述したシート部材３３が貼着されている。
【００２７】
以上のように構成された温水式床暖房フロアの施工方法について、以下に説明する。まず、図５（ａ）に示すように、床暖房フロアを施工しようとする部屋の一辺側から床下地１０の上に周辺パネル３０ａを敷設した後、同図（ｂ）に示すように、温水パイプユニット２０を床下地１０の所定位置に載置する。この場合、２組の温水パイプユニット２０が使用されている。
【００２８】
次に、同図（ｃ）に示すように、パイプ収容溝３１ａ、３１ｂに温水パイプユニット２０の温水パイプ２１を嵌め込むようにしてＵターンパネル３０ｃを敷設すると、床下地１０の上に載置された温水パイプユニット２０が概ね位置決めされることになるので、各温水パイプユニット２０における温水パイプ２１の両端部をそれぞれ床下地１０の下方側に引き落とし、床下でメインパイプに接続する。
【００２９】
続いて、同図（ｄ）に示すように、パイプ収容溝３１ａに温水パイプ２１を嵌め込みながら本体パネル３０ｂを敷設していく。なお、Ｕターンパネル３０ｃ及び本体パネル３０ｂを敷設する際は、パネルの裏面側、即ち、パネル基材３１の裏面におけるシート部材３３が貼着されていない部分及びシート部材３３の裏面にそれぞれ接着剤を塗布するので、シート部材３３が貼着されていない部分は、温水パイプユニット２０の連結部材２２に、シート部材３３は床下地１０にそれぞれ固着されることになり、温水パイプユニット２０がＵターンパネル３０ｃ及び本体パネル３０ｂを介して床下地１０に固定されることになる。
【００３０】
このようにして本体パネル３０ｂを次々と敷設していき、同図（ｅ）に示すように、温水パネルユニット２０における温水パイプ２１の反対側のＵターン部分を覆うように、Ｕターンパネル３０ｃを敷設した後、同図（ｆ）に示すように周辺パネル３０ａを敷設すると、図１に示すような温水式床暖房フロア１が完成する。
【００３１】
以上のように、この温水式床暖房フロア１は、床仕上材３０に温水パイプ２１が予め内蔵されているわけではないが、従来の床仕上材分離型の床暖房フロアとは異なり、温水パイプユニット２０を床下地１０の上に単に載置するだけでよいので手間がかからず、しかも、温水パイプユニット２０自体の大きさを床仕上材３０の数倍程度の大きさに設定することができるので、隣接する床仕上材の間で温水パイプを接続しなければならない従来の床仕上材一体型の床暖房フロアに比べて、温水パイプの接続箇所が少なくなり、効率よく施工することができる。
【００３２】
また、温水パイプユニット２０を床下地１０の上に載置した状態で、その温水パイプ２１をパイプ収容溝３１ａ、３１ｂに嵌め込みながら、床仕上材３０（本体パネル３０ｂ、Ｕターンパネル３０ｃ）を床下地１０の上に順次敷設していけばよいので、床仕上材を床下地の上に敷設した後、床仕上材の端面側からパイプ収容溝に温水パイプを通管する従来の床暖房フロアのように、手間のかかる温水パイプの通管作業を行う必要もなく、短時間で簡単に床暖房フロアを施工することができる。
【００３３】
また、この温水式床暖房フロア１では、床仕上材３０（本体パネル３０ｂ、Ｕターンパネル３０ｃ）に形成されたパイプ収容溝３１ａ、３１ｂに温水パイプユニット２０の温水パイプ２１が完全に収容され、しかも、床仕上材３０を敷設した状態で連結部材２２によって覆われないパネル基材３１の裏面部分には、連結部材２２と同様の緩衝材によって形成されたシート部材３３が予め貼着されているので、温水パイプユニット２０を載置した部分とそれ以外の部分との間で段差が生じることがなく、従来の床仕上材分離型の床暖房フロアのように、フロアの仕上げ高さを調整する必要がない。
【００３４】
また、床仕上材３０を構成しているパネル基材３１と床下地１０との間には、クッション性の良好な緩衝材によって形成された連結部材２２及びシート部材３３が介在しているので、遮音性能が付与されると共に、緩衝材は通常断熱性能を兼ね備えているので、床下への熱の拡散が抑えられ、暖房効率が向上するという効果も得られる。
【００３５】
また、この温水式床暖房フロア１では、隣り合う温水パイプ２１の直線部分が、２本ずつ連結部材２２によって順次連結された温水パイプユニット２０を使用しているので、図５に示すように、隣接する床仕上材３０（本体パネル３０ｂ、Ｕターンパネル３０ｃ）を横方向にずらしながら敷設する場合、そのずらし量を温水パイプ２１の直線部分の間隔単位で自由に変化させることができるので、床仕上材のずらし貼り施工の適用範囲が広がるという効果がある。
【００３６】
また、この温水式床暖房フロア１では、温水パイプ２１が床仕上材３０のパイプ収容溝３１ａ、３１ｂに収容されることによって、床仕上材３０に対して温水パイプユニット２０が確実に位置決めされるので、床仕上材３０を床下地１０に釘止めする場合でも、従来の床仕上材分離型の床暖房フロアのように、釘が温水パイプを貫通するといった施工ミスを有効に防止することができるという効果もある。
【００３７】
なお、上述した実施形態では、隣り合う温水パイプ２１の直線部分が、２本ずつ連結部材２２によって順次連結された温水パイプユニット２０を使用しているが、これに限定されるものではなく、例えば、図６（ａ）に示すように、２本以上の直線部分を１枚の連結部材２２ａによって連結することも可能であり、その場合は、同図（ｂ）、（ｃ）に示すように、使用する連結部材２２ａに応じて本体パネル３０ｂ及びＵターンパネル３０ｃにおけるシート部材３３の貼着面積を減らしておく必要があることはいうまでもない。
【００３８】
また、上述した実施形態では、遮音性能や断熱性能を付与するために、連結部材２２を、不織布等のクッション性の良好な緩衝材によって形成しているが、これに限定されるものではなく、例えば紙や合成樹脂シート等によって連結部材を形成することも可能である。特に、連結部材２２の厚みが小さい場合は、床仕上材３０の裏面に連結部材２２と同様のシート部材３３を必ずしも貼着する必要はない。
【図面の簡単な説明】
【図１】この発明にかかる温水式床暖房フロアの一実施形態を示す断面図である。
【図２】同上の温水式床暖房フロアを示す分解断面図である。
【図３】同上の温水式床暖房フロアに使用される温水パイプユニットを示す平面図である。
【図４】（ａ）は同上の温水式床暖房フロアに使用される床仕上材（本体パネル）を示す平面図、（ｂ）は同上の床仕上材（本体パネル）を示す裏面図、（ｃ）は同上の温水式床暖房フロアに使用される床仕上材（Ｕターンパネル）を示す裏面図である。
【図５】（ａ）〜（ｆ）は同上の温水式床暖房フロアの施工方法を示す工程図である。
【図６】（ａ）は他の実施形態である温水式床暖房フロアに使用される温水パイプユニットを示す平面図、（ｂ）は同上の温水式床暖房フロアに使用される床仕上材（本体パネル）を示す裏面図、（ｃ）は同上の温水式床暖房フロアに使用される床仕上材（Ｕターンパネル）を示す裏面図である。
【図７】（ａ）は従来の床仕上材一体型の温水式床暖房フロアに使用される床仕上材を示す断面図、（ｂ）は同上の温水式床暖房フロアの施工方法を示す工程図である。
【図８】（ａ）は従来の床仕上材分離型の温水式床暖房フロアを示す断面図、（ｂ）は同上の温水式床暖房フロアを示す分解断面図である。
【図９】（ａ）は従来の他の温水式床暖房フロアに使用される床仕上材を示す断面図、（ｂ）、（ｃ）は同上の温水式床暖房フロアの施工方法を示す工程図である。
【符号の説明】
１  温水式床暖房フロア
１０  床下地
２０  温水パネルユニット
２１  温水パイプ
２２、２２ａ  連結部材
３０  床仕上材
３０ａ  周辺パネル
３０ｂ  本体パネル
３０ｃ  Ｕターンパネル
３１  パネル基材
３１ａ、３１ｂ  パイプ収容溝
３２  表面化粧材
３３  シート部材
【図１】
0004287586.tif 000002
【図２】
0004287586.tif 000003
【図３】
0004287586.tif 000004
【図４】
0004287586.tif 000005
【図５】
0004287586.tif 000006
【図６】
0004287586.tif 000007
【図７】
0004287586.tif 000008
【図８】
0004287586.tif 000009
【図９】
0004287586.tif 000010